(57)【要約】【課題】電子ＰＯＰ装置を設置する店舗側、広告を行うメーカ側の双方に高いメリットがある広告システムを実現する。【解決手段】複数の情報入力装置１０と、電子ＰＯＰサーバ２０と、表示部を複数のエリアに分割した各分割表示エリアＡに、それぞれ異なる商品広告情報を表示する電子ＰＯＰ装置４０と、がネットワークＮＴを介して接続された商品広告システムＳＹである。複数の情報入力装置１０は、商品広告情報の表示を希望する広告時間帯および分割表示エリア、並びに希望広告額を含む入札内容を入力する。電子ＰＯＰサーバ２０は、複数の情報入力装置１０により入力された複数の入札内容を取得し、広告時間帯且つ分割表示エリアによって区分された広告枠ごとに、表示対象となる商品広告情報をオークション方式で決定する。また、その決定に基づいて、タイムスケジュールを生成し、電子ＰＯＰ装置４０に送信する。【選択図】図１
2009294289.tif 000002
【特許請求の範囲】
【請求項１】
広告情報を表示する表示装置と、
前記表示装置を管理する表示装置管理サーバと、
前記広告情報の広告権に関するオークションに入札する複数の情報入力装置と、がネッ
トワークを介して接続された広告システムであって、
前記表示装置は、
前記表示装置管理サーバから前記広告情報のタイムスケジュールおよび表示データを受
信するデータ受信部と、
表示部と、
前記タイムスケジュールにしたがって、前記表示部を所定の分割パターンに応じて分割
した各分割表示エリアに、それぞれ異なる前記表示データを表示する表示制御部と、を備
え、
前記情報入力装置は、
少なくとも、前記広告情報の表示を希望する広告時間帯および前記分割表示エリア、並
びに希望広告額を含む入札内容を入力する入札内容入力部を備え、
前記表示装置管理サーバは、
前記複数の情報入力装置により入力された複数の入札内容を取得する入札内容取得部と
、
取得した前記複数の入札内容に基づいて、前記広告時間帯且つ前記分割表示エリアによ
って区分された広告枠ごとに、表示対象となる前記広告情報をオークション方式で決定す
る広告情報決定部と、
前記広告情報決定部の決定結果に基づいて、前記タイムスケジュールを生成するタイム
スケジュール生成部と、
生成した前記タイムスケジュールと、当該タイムスケジュールで指定された前記広告情
報の表示データと、を前記表示装置に送信するデータ送信部と、を備えたことを特徴とす
る広告システム。
【請求項２】
前記表示装置管理サーバは、
前記広告情報決定部の決定に基づいて、落札額に基づく請求額を算出する請求額算出部
と、
算出した請求額を、前記広告枠の広告権を落札した前記情報入力装置に通知する請求額
通知部と、
通知した前記請求額の入金を確認する入金確認部と、を備え、
前記タイムスケジュール生成部は、前記入金確認部により入金を確認した広告枠を対象
として、前記タイムスケジュールを生成することを特徴とする請求項１に記載の広告シス
テム。
【請求項３】
前記表示装置管理サーバは、
前記広告枠ごとに、最低落札価格を設定する最低落札価格設定部をさらに備え、
前記広告情報決定部は、前記希望広告額が前記最低落札価格以上となる入札の中から、
前記広告情報を決定することを特徴とする請求項１または２に記載の広告システム。
【請求項４】
前記表示装置管理サーバは、
複数の前記表示装置と接続されており、
前記入札内容に基づいて、前記複数の表示装置の中から、前記タイムスケジュールの送
信対象となる１以上の表示装置を決定する対象装置決定部をさらに備え、
前記データ送信部は、前記対象装置決定部により決定された前記１以上の表示装置に対
して、前記タイムスケジュールを送信することを特徴とする請求項１ないし３のいずれか
１項に記載の広告システム。
【請求項５】
前記入札内容入力部は、前記入札内容として、前記広告情報が属するカテゴリをさらに
入力し、
前記複数の表示装置は、設置される売場に応じて分類され、
前記対象装置決定部は、前記入札内容に含まれる前記カテゴリに応じて、広告を行うべ
き前記売場を特定し、当該売場に分類される１以上の表示装置を、前記タイムスケジュー
ルの送信対象として決定することを特徴とする請求項４に記載の広告システム。
【請求項６】
前記表示装置管理サーバおよび／または前記表示装置は、
前記カテゴリごと且つ前記広告時間帯ごとに、前記分割パターンを設定する分割パター
ン設定部をさらに備え、
前記タイムスケジュール生成部は、設定された前記分割パターンに基づいて、前記タイ
ムスケジュールを生成し、
前記表示制御部は、前記タイムスケジュールにしたがって、前記所定の分割パターンを
変化させることを特徴とする請求項５に記載の広告システム。
【請求項７】
前記表示装置管理サーバは、
前記複数の表示装置全ての前記タイムスケジュールを記憶するタイムスケジュール記憶
部と、
前記タイムスケジュール記憶部を参照し、各表示装置において、前記広告情報が未登録
の前記広告枠に関する未登録情報を前記情報入力装置に通知する未登録情報通知部と、を
さらに備え、
前記入札内容入力部は、
前記入札内容として、前記表示装置管理サーバから通知された未登録の前記広告枠に対
する希望広告額を入力できることを特徴とする請求項４ないし６のいずれか１項に記載の
広告システム。
【請求項８】
前記表示装置は、
前記各分割表示エリアの中からいずれか１の分割表示エリアが指定されることに伴い、
当該分割表示エリアに表示されている前記広告情報に対応するクーポンを発行するクーポ
ン発行部をさらに備え、
前記入札内容入力部は、前記入札内容として、前記クーポンの発行の要否をさらに入力
し、
前記表示装置管理サーバの前記データ送信部は、前記クーポンを発行するための印刷デ
ータを、前記表示装置に送信することを特徴とする請求項１ないし７のいずれか１項に記
載の広告システム。
【請求項９】
表示部を所定の分割パターンに応じて分割した各分割表示エリアに、それぞれ異なる前
記広告情報を表示する表示装置と、
表示装置管理サーバと、
複数の情報入力装置と、がネットワークを介して接続された広告システムの制御方法で
あって、
前記情報入力装置が、前記広告情報の広告権に関するオークションに入札するための入
札内容として、少なくとも、前記広告情報の表示を希望する広告時間帯および前記分割表
示エリア、並びに希望広告額を入力するステップ、
前記表示装置サーバが、前記情報入力装置により入力された前記入札内容に基づいて、
前記広告時間帯且つ前記分割表示エリアによって区分された広告枠ごとに、表示対象とな
る前記広告情報をオークション方式で決定するステップ、
前記広告情報の決定に基づいて、前記各分割表示エリアに前記広告情報を表示するため
のタイムスケジュールを生成し、前記表示装置に送信するステップ、
前記表示装置が、前記表示装置サーバから受信した前記タイムスケジュールにしたがっ
て、前記各分割表示エリアに前記広告情報を表示するステップ、を実行することを特徴と
する広告システムの制御方法。
【請求項１０】
コンピュータに、請求項９に記載の広告システムの制御方法における各ステップを実行
させるためのプログラム。
【発明の詳細な説明】
【技術分野】
【０００１】
電子ＰＯＰ装置等の表示装置を用いて広告を行う広告システム、広告システムの制御方
法およびそのプログラムに関する。
【背景技術】
【０００２】
従来、広告を表示するディスプレイ、例えばスーパーなどの店舗において、商品の近く
に設置され、当該商品に関する商品広告情報を表示する電子ＰＯＰ装置等が知られている
（例えば、特許文献１）。一般的に、この種の電子ＰＯＰ装置は、メーカ（ブランド）が
作成した幾つかの映像（静止画や動画）を、繰り返し表示する。
【特許文献１】特開２００１−６７５５１号公報
【発明の開示】
【発明が解決しようとする課題】
【０００３】
ところで、電子ＰＯＰ装置は、店舗側が購入するのではなく、メーカによって提供され
ることも多い。当然この場合は、１台の電子ＰＯＰ装置につき、一社のメーカの商品広告
が表示されることとなり、結果的に同じ映像が繰り返し表示される。このため、顧客に飽
きを感じさせ、十分な広告効果が得られないといった問題があった。
【０００４】
また、商品によっては、ある限られた時間帯に効果的な売込みを行いたいものがある。
例えば、昼食前や夕食前の時間帯には、食材や惣菜など多数の商品の売り込みを行いたい
が、従来の電子ＰＯＰ装置では、同時に複数メーカの異なる商品の商品広告を表示するこ
とができなかった。
【０００５】
そこで、複数台の電子ＰＯＰ装置を並べて設置することにより、複数メーカの異なる商
品の商品広告を実現することも可能であるが、店舗側にとっては設置スペースの問題があ
り、メーカ側にとっては複数台の電子ＰＯＰ装置の提供が条件となるなど、商品広告に要
するコストが嵩むといった問題がある。このように、顧客を飽きさせることなく、しかも
限られた広告時間帯に多数の商品の商品広告を行うことができる商品広告システムの実現
は、非常に困難であった。
【０００６】
本発明は、このような問題点に鑑み、電子ＰＯＰ装置等の表示装置を設置する店舗等、
および商品広告を行うメーカ側の双方にメリットがあり、しかも高い広告効果を得ること
ができる広告システム、広告システムの制御方法およびそのプログラムを提供することを
目的とする。
【課題を解決するための手段】
【０００７】
本発明の広告システムは、広告情報を表示する表示装置と、表示装置を管理する表示装
置管理サーバと、広告情報の広告権に関するオークションに入札する複数の情報入力装置
と、がネットワークを介して接続された広告システムであって、表示装置は、表示装置管
理サーバから広告情報のタイムスケジュールおよび表示データを受信するデータ受信部と
、表示部と、タイムスケジュールにしたがって、表示部を所定の分割パターンに応じて分
割した各分割表示エリアに、それぞれ異なる表示データを表示する表示制御部と、を備え
、情報入力装置は、少なくとも、広告情報の表示を希望する広告時間帯および分割表示エ
リア、並びに希望広告額を含む入札内容を入力する入札内容入力部を備え、表示装置管理
サーバは、複数の情報入力装置により入力された複数の入札内容を取得する入札内容取得
部と、取得した複数の入札内容に基づいて、広告時間帯且つ分割表示エリアによって区分
された広告枠ごとに、表示対象となる広告情報をオークション方式で決定する広告情報決
定部と、広告情報決定部の決定結果に基づいて、タイムスケジュールを生成するタイムス
ケジュール生成部と、生成したタイムスケジュールと、当該タイムスケジュールで指定さ
れた広告情報の表示データと、を表示装置に送信するデータ送信部と、を備えたことを特
徴とする。
【０００８】
本発明の広告システムの制御方法は、表示部を所定の分割パターンに応じて分割した各
分割表示エリアに、それぞれ異なる広告情報を表示する表示装置と、表示装置管理サーバ
と、複数の情報入力装置と、がネットワークを介して接続された広告システムの制御方法
であって、情報入力装置が、広告情報の広告権に関するオークションに入札するための入
札内容として、少なくとも、広告情報の表示を希望する広告時間帯および分割表示エリア
、並びに希望広告額を入力するステップ、電子ＰＯＰサーバが、情報入力装置により入力
された入札内容に基づいて、広告時間帯且つ分割表示エリアによって区分された広告枠ご
とに、表示対象となる広告情報をオークション方式で決定するステップ、広告情報の決定
に基づいて、各分割表示エリアに広告情報を表示するためのタイムスケジュールを生成し
、表示装置に送信するステップ、表示装置が、表示装置管理サーバから受信したタイムス
ケジュールにしたがって、各分割表示エリアに広告情報を表示するステップ、を実行する
ことを特徴とする。
【０００９】
これらの構成によれば、表示装置（電子ＰＯＰ装置等）は、表示部を所定の分割パター
ンに応じて分割した複数の分割表示エリアを有しているため、同時に複数の商品などの広
告情報を表示することができる。これにより、顧客の関心を惹き、飽きさせることがない
ため、高い広告効果を得ることができる。さらに、広告を提供するメーカ側が、情報入力
装置によって、広告情報を表示する広告時間帯および分割表示エリア、並びに希望広告額
などの入札内容を入力することにより、表示装置管理サーバが各広告枠に表示する広告情
報をオークション方式で決定するため、メーカ側にとっては、所望の広告枠で、しかも簡
単な手続で、広告を行うことができるといったメリットがある。また、表示装置を設置す
る店舗側にとっては、各広告枠の広告権をできるだけ高額な希望広告額でメーカ側に販売
できるため、高い広告収入を得ることができるといったメリットがある。
【００１０】
上記に記載の広告システムにおいて、表示装置管理サーバは、広告情報決定部の決定に
基づいて、落札額に基づく請求額を算出する請求額算出部と、算出した請求額を、広告枠
の広告権を落札した情報入力装置に通知する請求額通知部と、通知した請求額の入金を確
認する入金確認部と、を備え、タイムスケジュール生成部は、入金確認部により入金を確
認した広告枠を対象として、タイムスケジュールを生成することが好ましい。
【００１１】
この構成によれば、広告権を取得するための入札（入札内容の入力）から、落札額の決
定（請求額の算出）、タイムスケジュールの生成、広告情報の表示までの一連の処理を、
人の手を介さずに行い得るビジネスモデルを実現できる。また、入金を確認した広告枠を
対象として、タイムスケジュールを生成するため、広告を行ったにも関わらずその広告額
を回収できないといった広告額未回収の問題がない。
なお、請求額は、広告権の希望広告額に相当する落札額と同額であっても良いし、落札
額に所定料金を付加した額や所定の割引を行った額であっても良い。
【００１２】
上記に記載の広告システムにおいて、表示装置管理サーバは、広告枠ごとに、最低落札
価格を設定する最低落札価格設定部をさらに備え、広告情報決定部は、希望広告額が最低
落札価格以上となる入札の中から、広告情報を決定することが好ましい。
【００１３】
この構成によれば、最低落札価格を設定することができるため、予想額を大きく下回る
ような破格の金額で落札されることを防止できる。また、最低落札価格は広告枠ごとに設
定できるため、各広告枠の位置や大きさに見合った最低落札価格に設定することができる
。
【００１４】
上記に記載の広告システムにおいて、表示装置管理サーバは、複数の表示装置と接続さ
れており、入札内容に基づいて、複数の表示装置の中から、タイムスケジュールの送信対
象となる１以上の表示装置を決定する対象装置決定部をさらに備え、データ送信部は、対
象装置決定部により決定された１以上の表示装置に対して、タイムスケジュールを送信す
ることが好ましい。
【００１５】
この構成によれば、表示装置管理サーバが複数の表示装置を統括管理しているため、メ
ーカ側は、表示装置ごとに別サーバにアクセスして入札を行うのではなく、一括した情報
入力で、複数の表示装置の広告権を取得することができる。
【００１６】
上記に記載の広告システムにおいて、入札内容入力部は、入札内容として、広告情報が
属するカテゴリをさらに入力し、複数の表示装置は、設置される売場に応じて分類され、
対象装置決定部は、入札内容に含まれるカテゴリに応じて、広告を行うべき売場を特定し
、当該売場に分類される１以上の表示装置を、タイムスケジュールの送信対象として決定
することが好ましい。
【００１７】
この構成によれば、カテゴリを指定することにより、そのカテゴリに応じた売場の表示
装置で広告を実現できる。例えば、ある商品のカテゴリ「惣菜」を指定した場合、店内の
惣菜コーナーに設置された表示装置（電子ＰＯＰ装置等）で、惣菜類の商品広告情報を表
示することができる。つまり、適切な場所で商品広告を行うことができるため、高い広告
効果を得ることができる。
【００１８】
上記に記載の広告システムにおいて、表示装置管理サーバおよび／または表示装置は、
カテゴリごと且つ広告時間帯ごとに、分割パターンを設定する分割パターン設定部をさら
に備え、タイムスケジュール生成部は、設定された分割パターンに基づいて、タイムスケ
ジュールを生成し、表示制御部は、タイムスケジュールにしたがって、所定の分割パター
ンを変化させることが好ましい。
【００１９】
この構成によれば、メーカ側が効果的に売り込みを行いたいと考えるカテゴリや広告時
間帯については、分割数の多い分割パターンに設定することで、多くの広告を行うことが
でき、店舗側によっては広告収入の増加が期待できる。逆に、メーカ側の希望が少ないと
考えられるカテゴリや広告時間帯については、分割数の少ない分割パターンに設定するこ
とで、広告情報が表示されない（未登録の）分割表示エリアの数を少なくすることができ
る。
【００２０】
上記に記載の広告システムにおいて、表示装置管理サーバは、複数の表示装置全てのタ
イムスケジュールを記憶するタイムスケジュール記憶部と、タイムスケジュール記憶部を
参照し、各表示装置において、広告情報が未登録の広告枠に関する未登録情報を情報入力
装置に通知する未登録情報通知部と、をさらに備え、入札内容入力部は、入札内容として
、表示装置管理サーバから通知された未登録の広告枠に対する希望広告額を入力できるこ
とが好ましい。
【００２１】
この構成によれば、情報入力装置は、広告情報が未登録の広告枠に関する未登録情報を
確認できるため、登録済みの広告枠に対して誤って入札してしまうことがなく、未登録の
分割表示エリアや広告時間帯を指定（選択）することで、簡単に入札することができる。
【００２２】
上記に記載の広告システムにおいて、表示装置は、各分割表示エリアの中からいずれか
１の分割表示エリアが指定されることに伴い、当該分割表示エリアに表示されている広告
情報に対応するクーポンを発行するクーポン発行部をさらに備え、入札内容入力部は、入
札内容として、クーポンの発行の要否をさらに入力し、表示装置管理サーバのデータ送信
部は、クーポンを発行するための印刷データを表示装置に送信することが好ましい。
【００２３】
この構成によれば、広告に連動してクーポンを発行することができるため、顧客の関心
を惹くことができ、より高い広告効果を得ることができる。また、クーポン発行枚数など
の情報を記憶しておくことで、その広告情報がどの程度の反響（広告効果）があったかを
知るための指標とすることができる。
【００２４】
本発明のプログラムは、コンピュータに、上記に記載の広告システムの制御方法におけ
る各ステップを実行させるためのものであることを特徴とする。
【００２５】
このプログラムを用いることにより、表示装置を設置する店舗側、および広告を行うメ
ーカ側の双方にメリットがあり、しかも高い広告効果を得ることができる広告システムを
実現することができる。
【発明を実施するための最良の形態】
【００２６】
以下、添付した図面を参照して、本発明の一実施形態に係る広告システム、広告システ
ムの制御方法およびそのプログラムについて説明する。図１は、本発明の広告システムを
適用した商品広告システムＳＹのシステム構成図である。同図に示すように、商品広告シ
ステムＳＹは、メーカなど商品広告を提供する者が広告権の入札を行うための複数台（図
示では、２台）の情報入力装置１０と、プロバイダなど電子ＰＯＰ装置４０（表示装置）
に商品広告情報（広告情報）を配信する者が管理する電子ＰＯＰサーバ２０（表示装置管
理サーバ）と、店舗内に設置された複数台（図示では、３台）の電子ＰＯＰ装置４０と、
これらを統括管理する店舗サーバ３０と、を備えている。
【００２７】
複数の情報入力装置１０、電子ＰＯＰサーバ２０および店舗サーバ３０は、インターネ
ット等のネットワークＮＴを介して接続されている。図１では、１店舗の店舗サーバ３０
のみがネットワークＮＴに接続されているが、複数店舗の店舗サーバ３０を接続すること
も当然可能である。なお、情報入力装置１０、電子ＰＯＰサーバ２０および店舗サーバ３
０としては、キーボード（１１，２１）やディスプレイ（１２，２２）を有する、一般的
なパーソナルコンピュータを用いることができる。また、各電子ＰＯＰ装置４０は、その
表示領域が、所定の分割パターンに応じて分割され、当該各分割表示エリアＡにそれぞれ
異なる商品広告情報の表示データを表示できるようになっている。
【００２８】
各情報入力装置１０は、電子ＰＯＰ装置４０により商品広告情報の表示を希望する広告
時間帯および分割表示エリアＡ、並びに希望広告額を含む入札内容を入力する。電子ＰＯ
Ｐサーバ２０は、情報入力装置１０によって入力された入札内容に基づいて、広告時間帯
且つ分割表示エリアＡによって区分された広告枠ごとに、表示対象となる商品広告情報を
オークション方式で決定する。また、この決定に基づいて、各電子ＰＯＰ装置４０で商品
広告を行うためのタイムスケジュールを生成し、各店舗（店舗サーバ３０）に送信する。
店舗サーバ３０は、電子ＰＯＰサーバ２０が生成したタイムスケジュールを取得し、店舗
内の各電子ＰＯＰ装置４０に提供する。各電子ＰＯＰ装置４０は、店舗サーバ３０から提
供されたタイムスケジュールに基づいて、商品広告情報を表示する。
【００２９】
なお、各電子ＰＯＰ装置４０は、設置される売場に応じて分類されている。本実施形態
では、「電子ＰＯＰ装置Ａ」が惣菜コーナー、「電子ＰＯＰ装置Ｂ」が生鮮食品コーナー
、「電子ＰＯＰ装置Ｃ」が生活用品コーナーに設置されているものとする。また、各売場
は、商品カテゴリに準じて（商品カテゴリ別に）設けられているものとする。
【００３０】
次に、図２を参照し、電子ＰＯＰ装置４０の装置構成について説明する。図２は、電子
ＰＯＰ装置４０の外観斜視図である。電子ＰＯＰ装置４０は、その筐体４９前面に、商品
広告情報を表示するディスプレイ４１と、ディスプレイ４１の略全域を覆うタッチパネル
４２と、各種設定を行うための設定ボタン４３と、音声を出力するスピーカ４４と、クー
ポンＣを印刷・発行する印刷部４５と、を備えている。また、筐体４９の底部には、電子
ＰＯＰ装置４０を立設するための一対の足部４８,４８が設けられている。
【００３１】
ディスプレイ４１は、有機ＥＬディスプレイ等のフラットディスプレイパネルで構成さ
れている。上記の通り、ディスプレイ４１の表示領域は、所定の分割パターンに応じて分
割されており、各分割表示エリアＡには、それぞれ異なる商品広告情報が表示される。同
図の例では、商品広告情報として、商品（牛乳パック等）の画像、商品名および商品の説
明を表示している。なお、商品広告情報は、静止画像であっても、動画像であっても良い
。また、各商品広告情報には、これら表示データの他に音声データが付加されており、こ
れらを表示・音声出力するためのデータを総称して、以下「商品広告映像ファイル」と称
する。
【００３２】
タッチパネル４２は、ディスプレイ４１の表示領域の略全域を覆うマトリクススイッチ
で構成されている。マトリクススイッチは、マトリクス状に配置されたスイッチ群であり
、指等の接触（タッチ）によってオン、オフ情報を取得する。このオン、オフ情報により
、ユーザによる指等のタッチを検出する。このタッチパネル４２へのタッチによって、ユ
ーザによる各種操作が行なわれる。例えば、分割表示エリアＡ１がタッチされると、分割
表示エリアＡ１上の商品広告情報に対応するクーポンＣを発行する。
【００３３】
設定ボタン４３は、電子ＰＯＰ装置４０の各種設定を行なう設定画面を表示させるため
の操作子である。ユーザは、設定ボタン４３を押してディスプレイ４１上に設定画面を表
示させ、タッチパネル４２を操作することで各種設定を行うことができる。
【００３４】
スピーカ４４は、上記の商品広告映像ファイルに基づいて、各商品広告情報に対応する
音声データを出力する。通常時は、６つの分割表示エリアＡ１〜Ａ６の中の予め指定され
たメインエリアである分割表示エリアＡ１に表示されている商品広告情報に対応する音声
データを出力する。また、各分割表示エリアＡのうちいずれかがタッチされた場合は、音
声出力を、そのタッチされた分割表示エリアＡに表示されている商品広告情報に対応する
音声データに切り替える。
【００３５】
印刷部４５は、ロール状に巻回されたレシート用紙を収容する用紙収容部、レシート用
紙を搬送する用紙搬送部、レシート用紙上に印刷データを印刷する印刷ヘッドを有してい
る（いずれも図示省略）。また、電子ＰＯＰ装置４０の前面下部に、印刷済みのレシート
用紙（クーポンＣ）を排出する排出口４６を有している。当該排出口４６にはクーポンＣ
の切断に利用される切断歯が設けられている。顧客は、排出口４６から排出された印刷済
みのレシート用紙を、切断歯を利用して切り取り、クーポンＣを取得する。なお、クーポ
ンＣの印刷に要する印刷データを、以下「クーポン印刷ファイル」と称する。
【００３６】
次に、図３を参照し、電子ＰＯＰ装置４０の制御構成について説明する。同図は、電子
ＰＯＰ装置４０の制御ブロック図である。電子ＰＯＰ装置４０は、上記のディスプレイ４
１、タッチパネル４２、設定ボタン４３、スピーカ４４および印刷部４５の他、ＣＰＵ（
Central Processing Unit）５１、ＲＯＭ（Read Only Memory）５２、ＲＡＭ（Random Ac
cess Memory）５３、通信部５４およびタイマ５５を備えている。
【００３７】
ＣＰＵ５１は、中央処理装置であり、各種演算処理を行う。ＲＯＭ５２は、ＣＰＵ５１
が各種演算処理を行うための制御プログラムを記憶する。ＲＡＭ５３は、ＣＰＵ５１が各
種演算処理を行うためのワークエリアとして用いられる。なお、本実施形態では、ＲＡＭ
５３内に、商品広告情報のタイムスケジュール、商品広告映像ファイルおよびクーポン印
刷ファイルを、それぞれ記憶するための記憶領域が設けられている（図示省略）。通信部
５４は、店舗サーバ３０と無線通信を行なうためのものであり、主に、タイムスケジュー
ル、商品広告映像ファイルおよびクーポン印刷ファイルの受信、並びに電子ＰＯＰ装置４
０の動作状態（エラーおよび動作履歴を含む）の送信に用いられる。タイマ５５は、現在
時刻を計時する。
【００３８】
次に、図４を参照し、商品広告システムＳＹの機能構成について説明する。同図は、商
品広告システムＳＹの機能ブロック図である。なお、店舗サーバ３０は、電子ＰＯＰサー
バ２０と電子ＰＯＰ装置４０との間で通信を行うための中継機器として主に用いられるも
のであるため、詳細な説明を省略する。
【００３９】
同図に示すように、情報入力装置１０は、機能構成として、入札内容入力部１１０、未
登録情報表示部１２０、請求額表示部１３０および入金情報入力部１４０を備えている。
【００４０】
入札内容入力部１１０は、キーボード１１（図１参照）等を用いて、各広告枠の広告権
を取得するための入札内容を入力するものである。入札内容としては、商品広告情報を表
示する広告時間帯、分割表示エリア、商品カテゴリ、クーポン発行の有無および希望広告
額等を入力する。なお、本実施形態では、電子ＰＯＰサーバ２０が提供する入力フォーム
（図８参照）上に所定事項を記入・選択することで、上記の入札内容を入力するものとす
る。
【００４１】
未登録情報表示部１２０は、各電子ＰＯＰ装置４０において、商品広告情報が未登録の
広告枠に関する未登録情報をディスプレイ１２上に表示するものである。当該表示も、電
子ＰＯＰサーバ２０により提供される（図９参照）。請求額表示部１３０は、入札内容に
含まれる希望広告額（落札額）に基づいて算出された請求額をディスプレイ１２上に表示
するものである。当該表示も、電子ＰＯＰサーバ２０により提供される（図１０（ａ）参
照）。入金情報入力部１４０は、キーボード１１等を用いて、電子ＰＯＰサーバ２０から
提示された請求額に対する入金情報を入力するものである（図１０（ａ）参照）。
【００４２】
続いて、電子ＰＯＰサーバ２０の機能構成を説明する。電子ＰＯＰサーバ２０は、分割
パターン設定部２００、最低落札価格設定部２１０、入札内容取得部２２０、対象装置決
定部２３０、未登録情報通知部２４０、請求額算出部２５０、請求額通知部２６０、入金
確認部２７０、商品広告映像ファイル記憶部２８０、商品広告情報決定部２９０、タイム
スケジュール生成部３１０、タイムスケジュール記憶部３２０、クーポン印刷ファイル記
憶部３３０およびデータ送信部３４０を備えている。
【００４３】
分割パターン設定部２００は、キーボード２１等を用いて、商品カテゴリごと且つ広告
時間帯ごとに、電子ＰＯＰ装置４０のディスプレイ４１上における分割パターンを設定す
るものである。図５は、広告時間帯によって変化する表示状態を示したものである。同図
の例は、広告時間帯（１）において６つの分割表示エリアＡを表示し、広告時間帯（２）
において４つの分割表示エリアＡを表示するように設定された場合を示している。また、
広告時間帯（３）と、広告時間帯（４）においては、いずれも３つの分割表示エリアＡを
表示しているが、その分割パターン（各分割表示エリアＡの大きさおよび形状）は異なる
。また、同図に示すように、各広告時間帯において各分割表示エリアＡには、エリア番号
が付されており、この番号は注目度が高いと考えられる順序に従っている。例えば、広告
時間帯（１）においては、エリア番号１の分割表示エリアＡが、他の分割表示エリアＡに
比べて表示面積が広いため、最も注目度が高いと考えられる。また、エリア番号２の分割
表示エリアＡとエリア番号３の分割表示エリアＡの表示面積は同じであるが、Ｚの法則（
人間の目線は、左から右、右から左下、左下から右下と動くことに基づき、広告正面に対
してＺとなるような配置で、商品広告情報を表示すると広告効果があるという法則）やＦ
の法則（人間の目線は、ホームページなどを見る場合、まず上部を左から右、次に左側を
上から下、次に中央部と目が動くことに基づき、広告正面に対してＦとなるような配置で
、商品広告情報を表示すると広告効果があるという法則）により、注目度が高いと考えら
れる右上のエリア（エリア番号２）の方が早い番号となっている。
【００４４】
また、各分割表示エリアＡ（各広告枠）は、それぞれ異なるメーカによって落札されて
おり、例えば、広告時間帯（１）においては、エリア番号１〜エリア番号５の分割表示エ
リアＡが、同図に表示されたメーカによって落札されている。一方、エリア番号６の分割
表示エリアＡは、店舗表示領域となっている。これは、エリア番号６の分割表示エリアＡ
に対して入札が無かった場合、入札はあったが希望広告額が最低落札価格に満たなかった
場合、入札はあったが締め切りまでに入金がなかった場合、エリア番号６の分割表示エリ
アＡが予め店舗表示領域として確保されていた場合、のいずれかの場合に発生する。この
店舗表示領域には、予め電子ＰＯＰ装置４０内に記憶されている店舗情報（表示データお
よび音声データ）を表示・出力する。
【００４５】
このように、電子ＰＯＰサーバ２０では、広告時間帯ごとに分割パターンを設定可能と
なっているため、例えば食事前の広告時間帯における商品カテゴリ「惣菜」などは、分割
数の多い分割パターンに設定することで、多くの商品広告を行うことができ、店舗側によ
っては広告収入の増加が期待できる。逆に、深夜帯における商品カテゴリ「生鮮食品」な
どは、メーカ側の希望が少ないと考えられるため、分割数の少ない分割パターンに設定す
ることで、商品広告情報が表示されない（未登録の）分割表示エリアＡの数を少なくする
ことができる。
【００４６】
最低落札価格設定部２１０は、キーボード２１等を用いて、広告枠ごとに最低落札価格
を設定するものである。例えば、図５に示した例の場合、広告時間帯（１）〜広告時間帯
（４）の各分割表示エリアＡに対して、個々に最低落札価格を設定することができる。こ
の場合、エリア番号にしたがって最低落札価格を設定する（エリア番号の早い広告枠をエ
リア番号の遅い広告枠よりも高めの最低落札価格に設定する）ことで、適切な（広告効果
に見合った）広告額とすることができる。
【００４７】
入札内容取得部２２０は、情報入力装置１０の入札内容入力部１１０により入力された
入札内容を取得するものである。対象装置決定部２３０は、入札内容取得部２２０が取得
した入札内容に基づいて、商品広告を行う（タイムスケジュールの送信対象となる）１以
上の電子ＰＯＰ装置４０を決定するものである。上記の通り、電子ＰＯＰサーバ２０は、
図１に示した３台の電子ＰＯＰ装置４０以外にも、他店および他地域に設置された多数の
電子ＰＯＰ装置４０を管理している。したがって、これら多数の電子ＰＯＰ装置４０の中
から、「広告地域」、「広告店舗」、「広告期間」等の入札条件に基づいて、広告対象と
なる電子ＰＯＰ装置４０を決定する。さらに、対象装置決定部２３０は、入札条件に含ま
れる「商品カテゴリ」によっても、広告対象を制限する。例えば、対象装置決定部２３０
は、入札条件に含まれる「商品カテゴリ」が「惣菜」の場合、商品広告を行うべき売場を
「惣菜コーナー」と特定し、当該売場に分類される「電子ＰＯＰ装置Ａ」を、広告対象と
して決定する（図１参照）。
【００４８】
未登録情報通知部２４０は、タイムスケジュール記憶部３２０を参照し、各電子ＰＯＰ
装置４０において、商品広告情報が未登録の広告枠を示す未登録情報を情報入力装置１０
に通知するものである。本実施形態では、対象装置決定部２３０により広告対象として決
定した電子ＰＯＰ装置４０の未登録情報を通知する（図９参照）。
【００４９】
請求額算出部２５０は、後述する商品広告情報決定部２９０の決定に基づいて、落札額
に基づく請求額を算出するものである。具体的には、広告権の希望広告額に相当する落札
額に、「広告地域」や「クーポン発行（クーポン発行の有無）」等の入札条件をパラメー
タとした所定の算出アルゴリズムに基づいて、請求額を算出する。請求額通知部２６０は
、請求額算出部２５０で算出した請求額を情報入力装置１０に通知するものである（図１
０（ａ）参照）。
【００５０】
入金確認部２７０は、請求額通知部２６０による請求額の通知後、情報入力装置１０か
らの請求額の入金を確認するものである。本実施形態では、クレジットカード情報の入力
（図１０（ａ）参照）と、その認証結果の取得（クレジットカード認証サーバ（図示省略
）から取得する）とによって、請求額の入金を確認する。
【００５１】
商品広告映像ファイル記憶部２８０は、複数の商品広告映像ファイルを記憶している。
当該商品広告映像ファイル記憶部２８０には、情報入力装置１０から取得した各商品広告
映像ファイル（音声データも含む）を、それぞれ所定のＵＲＬ（Uniform Resource Locat
or）に記憶している。
【００５２】
商品広告情報決定部２９０は、入札内容取得部２２０により取得した複数の入札内容に
基づいて、広告枠ごと（電子ＰＯＰ装置４０ごと且つ広告時間帯ごと且つ分割表示エリア
Ａごと）に、表示対象となる商品広告情報をオークション方式で決定するものである。但
し、取得した入札の中から、希望広告額が、最低落札価格設定部２１０により設定された
最低落札価格以上となる入札の中から、商品広告情報を決定する。なお、入札内容取得部
２２０が１の入札内容しか取得していない場合は、その希望広告額が最低落札価格以上で
あることを条件として、その入札による商品広告情報を決定する。また、商品広告情報決
定部２９０は、対象装置決定部２３０により広告対象として決定した電子ＰＯＰ装置４０
の広告枠を対象として、また対象となる電子ＰＯＰ装置４０の、分割パターン設定部２０
０により予め設定された分割パターン（分割数）に応じて、商品広告情報を決定する。
【００５３】
タイムスケジュール生成部３１０は、対象装置決定部２３０により広告対象として決定
した電子ＰＯＰ装置４０に、商品広告情報決定部２９０により決定された商品広告情報を
表示するためのタイムスケジュールを生成するものである。なお、タイムスケジュールの
生成は、入金確認部２７０により入金を確認した広告枠を対象とする。
【００５４】
図６は、タイムスケジュールの一例を示す図である。同図に示すように、タイムスケジ
ュールは、広告時間帯別に、エリア番号（分割表示エリアＡの位置）と、商品広告映像フ
ァイルのＵＲＬと、クーポン印刷ファイルのＵＲＬ（後述する）と、を関連付けて記憶し
たテーブルである。同図の例は、広告時間帯「８：００〜１０：００」が、４分割パター
ンに設定され、広告時間帯「１０：００〜１２：００」が、６分割パターンに設定された
場合を示している。このタイムスケジュールは、対象装置決定部２３０により決定された
１以上の電子ＰＯＰ装置４０に対して、電子ＰＯＰ装置４０ごとに生成される。
【００５５】
タイムスケジュール記憶部３２０は、タイムスケジュール生成部３１０により生成され
た全ての電子ＰＯＰ装置４０のタイムスケジュールを記憶するデータベースである。クー
ポン印刷ファイル記憶部３３０は、クーポンＣを発行するための複数のクーポン印刷ファ
イルを記憶している。当該クーポン印刷ファイル記憶部３３０には、情報入力装置１０か
ら取得した各クーポン印刷ファイルを、それぞれ所定のＵＲＬ（Uniform Resource Locat
or）に記憶している。
【００５６】
データ送信部３４０は、タイムスケジュール生成部３１０により生成したタイムスケジ
ュールを、該当する電子ＰＯＰ装置４０に送信する。なお、タイムスケジュールには、分
割パターン設定部２００により設定された分割パターンデータを付帯して送信する。また
、送信タイミングは、タイムスケジュール生成部３１０による生成終了直後であっても良
いし、電子ＰＯＰ装置４０から送信要求があったときでも良い。また、データ送信部３４
０は、電子ＰＯＰ装置４０からの送信要求（ＵＲＬの指定）に応じて、商品広告映像ファ
イル記憶部２８０から該当する商品広告映像ファイルを読出し、電子ＰＯＰ装置４０に送
信する。さらに、データ送信部３４０は、電子ＰＯＰ装置４０からの送信要求（ＵＲＬの
指定）に応じて、クーポン印刷ファイル記憶部３３０から該当するクーポン印刷ファイル
を読出し、電子ＰＯＰ装置４０に送信する。なお、商品広告映像ファイルおよびクーポン
印刷ファイルの送信は、タイムスケジュールに付帯して（タイムスケジュールと同時に）
送信するようにしても良い。
【００５７】
続いて、電子ＰＯＰ装置４０の機能構成を説明する。電子ＰＯＰ装置４０は、データ受
信部４１０、表示制御部４２０、表示部４３０およびクーポン発行部４４０を備えている
。
【００５８】
データ受信部４１０は、データ送信部３４０から送信された、タイムスケジュール、商
品広告映像ファイルおよびクーポン印刷ファイルを、通信部５４を介して受信するもので
ある。なお、タイムスケジュールは、電子ＰＯＰ装置４０によるタイムスケジュール生成
終了直後に受信するものとする。また、商品広告映像ファイルおよびクーポン印刷ファイ
ルは、タイムスケジュールにしたがい、その広告時間帯の前に、電子ＰＯＰサーバ２０に
送信要求を出して受信するものとする。
【００５９】
表示制御部４２０は、データ受信部４２０により受信したタイムスケジュールにしたが
って、表示部４３０の表示制御を行うものである。表示部４３０は、ディスプレイ４１に
よってその主要部が構成され、表示制御部４２０は、ＣＰＵ５１によってその主要部が構
成される。表示制御部４２０は、例えば、図６に示すタイムスケジュールを受信した場合
、広告時間帯「８：００〜１０：００」の間は、分割パターンデータにしたがって、表示
部４３０を４分割パターンに分割し（図９の分割表示パターン表示欄７２の（２）参照）
、エリア番号１（４つの分割表示エリアＡのうち左上）には、所定のＵＲＬ（http：//**
*/***/D001）から読み出した商品広告映像ファイルに基づく映像（商品広告情報）を表示
する。同様に、エリア番号２、３および４についても、タイムスケジュールに記述された
各ＵＲＬの商品広告映像ファイルに基づく映像を表示する。また、未登録の分割表示エリ
アＡ（広告枠）が存在する場合（タイムスケジュールに表示データが記述されていない広
告枠が存在する場合）は、予め電子ＰＯＰ装置４０内に記憶されている情報（イベント情
報や休店日などの店舗情報）を表示する。
【００６０】
クーポン発行部４４０は、データ受信部４１０により受信したクーポン印刷ファイルを
、顧客のタッチパネル操作に基づいて印刷・発行するものであり、印刷部４５によってそ
の主要部が構成される。クーポン発行部４４０は、例えば、図６に示すタイムスケジュー
ルを受信した場合、広告時間帯「８：００〜１０：００」の間、タッチパネル４２のエリ
ア番号１に相当するエリアがタッチされると、所定のＵＲＬ（http：//***/***/P001）か
ら読み出したクーポン印刷ファイルをレシート用紙に印刷する。また、エリア番号２、３
および４については、タイムスケジュール上にクーポン印刷ファイルのＵＲＬが記述され
ていない（クーポンＣ発行が指定されていない）ため、広告時間帯「８：００〜１０：０
０」に、各エリア番号に相当するエリアがタッチされてもクーポンＣを発行しない。
【００６１】
なお、電子ＰＯＰ装置４０は、クーポン発行部４４０によるクーポン発行枚数などの情
報を電子ＰＯＰサーバ２０に通知することが好ましい。この構成によれば、その商品広告
情報がどの程度の反響（広告効果）があったかを知るための指標とすることができる。
【００６２】
次に、図７を参照し、商品広告システムＳＹの一連の流れを説明する。同図は、商品広
告システムＳＹの一連の流れを示すフローチャートである。ここでは、電子ＰＯＰサーバ
２０により分割パターンが予め設定されているものとして説明する。情報入力装置１０に
入札内容が入力されると（Ｓ０１）、電子ＰＯＰサーバ２０は、これを取得する（Ｓ０２
）。このとき、情報入力装置１０の操作により、電子ＰＯＰサーバ２０から未登録情報を
取得してディスプレイ１２上に表示させ、その中から入札対象となる広告枠を指定するこ
とが可能である。電子ＰＯＰサーバ２０は、情報入力装置１０からの未登録情報取得依頼
にしたがってタイムスケジュール記憶部３２０を参照し、その参照結果である未登録情報
を情報入力装置１０に通知する。
【００６３】
その後、電子ＰＯＰサーバ２０は、所定の入札期間を終えた後、取得した１以上の入札
内容に基づいて、オークション形式で各広告枠に表示する商品広告情報を決定する（Ｓ０
３）。また、落札した入札内容に含まれる希望広告額に基づいて、請求額を算出し（Ｓ０
４）、これを情報入力装置１０に通知する（Ｓ０５）。情報入力装置１０は、当該請求額
をディスプレイ１２上に表示して確認し（Ｓ０６）、入金情報を入力する（Ｓ０７）。電
子ＰＯＰサーバ２０は、入金情報の取得、およびクレジットカードの認証結果の取得によ
って入金を確認する（Ｓ０８）。電子ＰＯＰサーバ２０は、この入金確認があった広告枠
を対象として、タイムスケジュールを生成し（Ｓ０９）、これを該当する電子ＰＯＰ装置
４０に送信する（Ｓ１０）。
【００６４】
一方、電子ＰＯＰ装置４０は、電子ＰＯＰサーバ２０から送信されたタイムスケジュー
ルを受信し（Ｓ１１）、ＲＡＭ５３内の所定領域に格納しておく。そして、広告時間帯の
切り替えタイミングか否かを判別し（Ｓ１２）、広告時間帯の切り替えタイミングとなっ
た場合は（Ｓ１２：Ｙｅｓ）、商品広告映像ファイルおよびクーポン印刷ファイルの送信
要求を出して、これらを受信し（Ｓ１３）、それぞれをＲＡＭ５３内の所定領域に格納し
ておく。なお、Ｓ１２における「広告時間帯の切り替えタイミング」には、最初の広告開
始時刻（本実施形態では「８：００」，図６参照）も含まれる。また、電子ＰＯＰ装置４
０の電源投入時に、最初の広告時間帯の商品広告映像ファイルおよびクーポン印刷ファイ
ルの送信要求を出すようにしても良い。
【００６５】
その後、電子ＰＯＰ装置４０は、タイムスケジュールにしたがって、ディスプレイ４１
上に、商品広告映像ファイルに基づく商品広告情報を表示する（Ｓ１４）。なお、特に図
示しないが、商品広告情報の表示と共に、当該商品広告情報に対応する音声データを出力
する。また、タッチパネル４２が操作され、その操作位置が属する分割表示エリアＡに対
応するクーポン印刷ファイルが存在する場合は、クーポンＣを発行する。
【００６６】
次に、図８ないし図１０に示す入力フォームの一例を参照し、情報入力装置１０におけ
る電子ＰＯＰ広告権の入札申込み操作について説明する。図８は、電子ＰＯＰ広告権の入
札申込み入力フォームのトップ画面Ｄ１の一例を示す図、図９は、未登録情報画面Ｄ２の
一例を示す図、図１０は、支払い画面Ｄ３および受付完了画面Ｄ４の一例を示す図である
。図８に示すように、入力フォームのトップ画面Ｄ１は、依頼者情報入力欄６１、入札条
件入力欄６２および添付データ入力欄６３を有している。
【００６７】
依頼者情報入力欄６１は、商品広告を依頼（提供）するメーカ等の「会社名または氏名
」、「住所」、「電話番号」および「Ｅメールアドレス」の項目について入力可能となっ
ている。また、入札条件入力欄６２は、商品広告を行う「広告地域」、「広告店舗」、「
広告期間」、「商品カテゴリ」、「広告時間帯」、「表示エリア」、「クーポン発行」お
よび「希望広告額」の項目について入力可能となっている。
【００６８】
「広告地域」としては、複数の都市名候補の中からいずれか１の候補が選択される。ま
た、「広告店舗」としては、「広告地域」として選択された都市に存在する複数の店舗の
店舗名を候補として表示し、それらの中からいずれか１の候補が選択される。また、「広
告期間」としては、例えば１週間単位など、所定期間ごとに区切られた複数の広告期間候
補の中からいずれか１の候補が選択される。また、「商品カテゴリ」としては、「惣菜」
、「生鮮食品」、「生活雑貨」など複数の商品カテゴリの中からいずれか１の候補が選択
される。
【００６９】
また、「広告時間帯」としては、「８：００〜１０：００」、「１０：００〜１２：０
０」など、８：００〜２０：００を２時間単位で区切った６つの候補の中からいずれか１
の候補が選択される。また、「表示エリア」としては、６つのエリア番号の中からいずれ
か１のエリア番号が選択される。本実施形態では、最大エリア分割数が６であるため、こ
こでは６つの選択肢を表示する。なお、希望する商品カテゴリおよび広告時間帯における
分割パターンについては、「未登録情報表示」ボタン６４の押下によって確認可能である
（詳細については後述する）。
【００７０】
また、「クーポン発行」としては、クーポン発行を必要とするか否かについて選択され
る。ここで、「クーポン発行」が「必要」と選択された場合、当該申込みに基づく商品広
告情報が電子ＰＯＰ装置４０に表示され、その商品広告情報を表示する分割表示エリアＡ
がタッチされると、クーポンＣを発行する。したがって、この場合、添付データ入力欄６
３において、クーポン印刷ファイルの指定またはクーポン印刷テキストの入力が必要とな
る。また、「希望広告額」としては、例えば１００円単位など、所定金額ごとに区切られ
た複数の金額候補の中からいずれか１の候補が選択される。なお、上記の入札条件入力後
に、「希望広告額」が入力される場合は、最低落札価格以下の希望広告額を入力不可能（
選択不可能）としても良い。
【００７１】
添付データ入力欄６３は、「商品広告映像ファイル」および「クーポン印刷ファイル」
の指定、または「商品広告映像テキスト」および「クーポン印刷テキスト」の入力が可能
となっている。つまり、商品広告関係については、商品広告情報として、添付した映像フ
ァイルを表示させるか、トップ画面Ｄ１で入力したテキスト情報を表示させるかを選択可
能となっている。クーポン関係についても同様である。
【００７２】
顧客により、トップ画面Ｄ１に表示した必要項目が入力された後、「キャンセル」ボタ
ン６６が押下された場合は、電子ＰＯＰ広告権の入札申込みを中止する。また、「確認」
ボタン６７が押下された場合は、入札条件が確定したものと看做して、電子ＰＯＰサーバ
２０に入札申込み内容が送信される。
【００７３】
ここで、図９を参照し、上記の「未登録情報表示」ボタン６４が押下された場合に遷移
する未登録情報画面Ｄ２について説明する。未登録情報画面Ｄ２は、顧客による指定内容
と、予め設定されている分割表示パターンと、タイムスケジュール記憶部３２０の記憶内
容と、に基づいて生成される画面であり、指定内容表示欄７１、分割表示パターン表示欄
７２および広告枠表示欄７３を有している。
【００７４】
指定内容表示欄７１には、入札条件入力欄６２で入力された「広告地域」、「広告店舗
」、「広告期間」および「商品カテゴリ」の項目を表示する。なお、これら全てについて
入力されている必要はなく、いずれか１以上の項目が入力されていれば良い。ここでは、
上記の全ての項目が入力され、それらの入力内容をａｎｄ条件とする未登録情報を、広告
枠表示欄７３に表示するものとする。また、「商品カテゴリ」としては、「惣菜」が入力
されたものとする。但し、図９の広告枠表示欄７３には、未登録情報の一部のみが表示さ
れている。すなわち、同図の例は、未登録情報が２つの画面に分割して表示され、その最
初の画面を表示した場合を示している（「未登録情報１／２」の表題７０参照）。
【００７５】
分割表示パターン表示欄７２は、電子ＰＯＰサーバ２０において、予め商品カテゴリご
と且つ広告時間帯ごとに設定されている分割表示パターンを表示する。ここでは、「商品
カテゴリ：惣菜」について、広告時間帯ごとに設定されている分割表示パターンを表示し
ている。
【００７６】
広告枠表示欄７３は、広告対象となる電子ＰＯＰ装置４０（ここでは、Ａａ〜Ａｃの３
台）について、タイムスケジュールに組み込まれていない未登録の分割表示エリアＡ（空
き枠）を、広告枠ごとに表示している。ここでは、「商品カテゴリ：惣菜」が指定されて
いるため、惣菜コーナーに設置される複数の電子ＰＯＰ装置４０のうち、３台分（Ａａ〜
Ａｃ）の空き枠を表示している。例えば、「電子ＰＯＰ  Ａａ」については、８：００〜
１２：００および１６：００〜２０：００の間、全ての枠が埋まっていて、その広告枠の
入札申込みは不可能となっている。また、その他の広告時間帯については、全ての広告枠
が入札可能となっている。また、○印が付された広告枠にカーソルを合わせると、最低落
札価格が表示される。なお、トップ画面Ｄ１で「広告時間帯」および「表示エリア」の項
目を選択する代わりに、広告枠表示欄７３の空き枠を指定（選択）しても良い。なお、エ
リア番号（「１」、「２」など）を選択することで、そのエリア番号に属する３台分（Ａ
ａ〜Ａｃ）の空き枠を同時に指定する（３台分の広告枠に同時に入札する）ことも可能で
ある。
【００７７】
未登録情報画面Ｄ２において、「戻る」ボタン７５が押下された場合は、トップ画面Ｄ
１に遷移する。また、「次画面」ボタン７６が押下された場合は、次画面（「未登録情報
２／２」の画面，図示省略）に遷移する。
【００７８】
図１０（ａ）は、自分の入札に対して広告権が落札できた場合に表示可能となる支払い
画面Ｄ３の一例を示す図である。当該支払い画面Ｄ３は、例えば電子ＰＯＰサーバ２０か
ら、落札成功を通知する電子メールが情報入力装置１０に送信され、当該電子メールに記
載されているＵＲＬに情報入力装置１０がアクセスすることによって表示可能である。な
お、電子ＰＯＰサーバ２０は、落札できなかった入札者（情報入力装置１０）に対しても
、その旨を通知する電子メールを送信することが好ましい。支払い画面Ｄ３は、請求額表
示欄８１および入金情報入力欄８２を有している。請求額表示欄８１は、請求額算出部２
５０（図４参照）で算出した請求額を表示する。また、入金情報入力欄８２は、「クレジ
ットカード番号」、「有効期限」および「支払い回数」の項目について入力可能となって
いる。
【００７９】
支払い画面Ｄ３において、「キャンセル」ボタン８３が押下された場合は、支払い処理
を中止する。この場合、広告権の入札は無効となる。また、入金情報入力欄８２の項目が
入力された後、「確認」ボタン８４が押下された場合は、図１０（ｂ）に示す受付完了画
面Ｄ４に遷移する。
【００８０】
受付完了画面Ｄ４は、受付番号表示欄８５および「タイムスケジュール確認」ボタン８
６を有している。受付番号表示欄８５は、電子ＰＯＰ広告権の入札申込みに対する受付番
号を表示している。また、「タイムスケジュール確認」ボタン８６が押下されると、入札
した広告枠を有する電子ＰＯＰ装置４０の一日分のタイムスケジュールを表示する。なお
、当該受付完了画面Ｄ４の表示によって、電子ＰＯＰ広告の申込み完了となる。また、顧
客により「閉じる」ボタン８７が押下されると、受付完了画面Ｄ４を閉じる。
【００８１】
以上説明したとおり、本実施形態の商品広告システムＳＹによれば、電子ＰＯＰ装置４
０は、ディスプレイ４１を所定の分割パターンに応じて分割した複数の分割表示エリアＡ
を有しているため、同時に複数の商品広告情報を表示することができ、顧客を飽きさせる
ことがない。なお、広告情報は商品だけに限らず、どのような広告であっても良い。さら
に、情報入力装置１０によって、商品広告情報を表示する広告時間帯および分割表示エリ
アＡ、並びに希望広告額などの入札内容が入力されることにより、各広告枠に表示する商
品広告情報をオークション方式で決定するため、メーカ側にとっては、所望の広告枠で、
しかも簡単な手続で、商品広告を行うことができるといったメリットがある。また、電子
ＰＯＰ装置４０を設置する店舗側にとっては、各広告枠の広告権をできるだけ高額な希望
広告額でメーカ側に販売できるため、高い広告収入を得ることができるといったメリット
がある。
【００８２】
また、電子ＰＯＰサーバ２０は、広告権を取得するための入札受付から、落札額の決定
（請求額の算出）、タイムスケジュールの生成、商品広告情報の表示指令までの一連の処
理を行うため、人の手を介さずに行い得るビジネスモデルを実現できる。つまり、人件費
を必要としないため、電子ＰＯＰサーバ２０の運営コストを抑えることができる。このよ
うに、商品広告を行う顧客、電子ＰＯＰサーバ２０を運営するプロバイダ、電子ＰＯＰ装
置４０を設置する店舗の全てにおいて、メリットが高いビジネスモデルを実現できる。
【００８３】
なお、上記の実施形態では、未登録の分割表示エリアＡ（空き枠）が存在する場合は、
予め電子ＰＯＰ装置４０内に記憶されている店舗情報を表示するものとしたが、電子ＰＯ
Ｐサーバ２０の商品広告映像ファイル記憶部２８０に複数種類の未登録枠用映像ファイル
を用意しておき、タイムスケジュール生成部３１０により、未登録の分割表示エリアＡに
対して適宜（同じ未登録枠用映像ファイルが同時に表示されることがないように）、未登
録枠用映像ファイルを組み込むようにしても良い。
【００８４】
また、上記の実施形態では、広告額の支払い方法として、クレジットカードによる支払
方法のみを記載したが、口座振替や電子マネーによる支払いなど、複数の支払方法の中か
らいずれかを選択できるようにしても良い。但し、これら口座振替や電子マネーによる支
払いが行われた場合も、タイムスケジュール生成部３１０は、入金の確認後に、タイムス
ケジュールを生成することが好ましい。
【００８５】
また、上記の実施形態では、電子ＰＯＰサーバ２０に分割パターン設定部２００を備え
たものとしたが（図４参照）、電子ＰＯＰ装置４０側に分割パターン設定部（図示省略）
を設けても良い。この場合、電子ＰＯＰ装置４０の分割パターン設定部で設定した分割パ
ターンを、電子ＰＯＰサーバ２０に送信し、電子ＰＯＰサーバ２０はこれを記憶しておく
。商品広告情報決定部２９０は、記憶された分割パターン（商品カテゴリ別且つ広告時間
帯別の分割パターン）に基づいて、各広告枠に表示するための商品広告情報を決定する。
この構成によれば、電子ＰＯＰ装置４０を設置する店舗側で、自由に分割パターンを設定
することができる。
【００８６】
また、上記の実施形態に示した商品広告システムＳＹ（情報入力装置１０、電子ＰＯＰ
サーバ２０および電子ＰＯＰ装置４０）の各構成要素をプログラムとして提供することが
可能である。また、そのプログラムを各種記録媒体（ＣＤ−ＲＯＭ、フラッシュメモリ等
）に格納して提供することも可能である。すなわち、コンピュータを、商品広告システム
ＳＹの各手段として機能させるためのプログラム、およびそれを記録した記録媒体も、本
発明の権利範囲に含まれる。
【００８７】
その他、商品広告システムＳＹに介在する業者、システム構成、処理工程等について、
本発明の要旨を逸脱しない範囲で、適宜変更が可能である。また、商品広告以外の広告シ
ステムにも適用可能である。
【図面の簡単な説明】
【００８８】
【図１】本発明の一実施形態に係る広告システムを適用した商品広告システムのシステム構成図である。
【図２】電子ＰＯＰ装置の外観斜視図である。
【図３】電子ＰＯＰ装置の制御ブロック図である。
【図４】商品広告システムの機能ブロック図である。
【図５】広告時間帯によって変化する表示状態の一例を示す図である。
【図６】タイムスケジュールの一例を示す図である。
【図７】商品広告システムの一連の流れを示すフローチャートである。
【図８】電子ＰＯＰ広告権の入札申込み入力フォームのトップ画面の一例を示す図である。
【図９】未登録情報画面の一例を示す図である。
【図１０】支払い画面および受付完了画面の一例を示す図である。
【符号の説明】
【００８９】
１０…情報入力装置  ２０…電子ＰＯＰサーバ  ３０…店舗サーバ  ４０…電子ＰＯＰ
装置  ４１…ディスプレイ  ４２…タッチパネル  ４３…設定ボタン  ４４…スピーカ  
４５…印刷部  Ａ（Ａ１〜Ａ６）…分割表示エリア  Ｃ…クーポン  ＳＹ…商品広告シス
テム
【図１】
2009294289.tif 000003
【図２】
2009294289.tif 000004
【図３】
2009294289.tif 000005
【図４】
2009294289.tif 000006
【図５】
2009294289.tif 000007
【図６】
2009294289.tif 000008
【図７】
2009294289.tif 000009
【図８】
2009294289.tif 000010
【図９】
2009294289.tif 000011
【図１０】
2009294289.tif 000012